(57)【要約】【課題】吸湿時の強度が維持でき、かつ構造が簡単で安価な畳を得る。【解決手段】畳１の畳床１０は、紙製のコアユニット２と、その表面と裏面に配置されたインシュレーションボード３Ａ，３Ｂとを備え、この畳床１０の上面に畳表４が縫い付けられている。前記コアユニット２は、段ボール材２３を、目２４を表裏方向に向けて積層して耐水糊で接着して平板状に形成し、耐水コーティングを施したコア２０の表面と裏面に、段ボール用芯紙からなるシート２５Ａ，２５Ｂを耐水糊で接合している。【選択図】                図１
2004162279.tif 000002
【特許請求の範囲】
【請求項１】
段ボール材またはハニカム体からなり、目が表裏方向を向いた板状の紙製コアと、
前記コアの表裏面に配置されたインシュレーションボードと、
前記表側のインシュレーションボードの上面に配置された畳表とを有し、
前記紙製コアに耐水コーティングが施されている畳。
【請求項２】
段ボール材またはハニカム体からなり、目が表裏方向を向いた板状の紙製コアと、
前記コアの表裏面に配置されたインシュレーションボードと、
前記表側のインシュレーションボードの上面に配置された畳表とを有し、
前記コアは、紙材を耐水糊で接着して形成されている畳。
【請求項３】
段ボール材またはハニカム体からなり、目が表裏方向を向いた板状の紙製コアの表裏面に紙製のシートを接合したコアユニットと、
前記コアユニットの表裏面に配置されたインシュレーションボードと、
前記表側のインシュレーションボードの上面に配置された畳表とを有し、
前記コアは、紙材を耐水糊で接着して形成され、
前記コアユニットのシートは、段ボール用芯紙で形成されている畳。
【請求項４】
段ボール材またはハニカム体からなり、目が表裏方向を向いた板状の紙製コアの表裏面に紙製のシートを接合したコアユニットと、
前記コアユニットの表裏面に配置されたインシュレーションボードと、
前記表側のインシュレーションボードの上面に配置された畳表とを有し、
前記コアは、紙材を耐水糊で接着して形成され、
前記コアユニットの表裏面に摩擦抵抗を増加させる滑り止めコーティングが施されている畳。
【請求項５】
請求項１から４のいずれかにおいて、
前記コアは複数の段ボール材の目を表裏方向に向けて積層した段ボール積層材であり、この段ボール積層材は４辺のうち少なくとも相対向する２辺の近傍部分が、他の部分よりも小さい目を有している畳。
【請求項６】
請求項１から５のいずれかにおいて、
前記表側のインシュレーションボードの上面と裏側のインシュレーションボードの下面の少なくとも一方に、段ボール材からなる段ボールシートが、その目の方向を前記表裏方向と直交させて配置されている畳。
【発明の詳細な説明】
【０００１】
【発明の属する技術分野】
本発明は、段ボール材またはハニカム体からなる紙製のコアを持つ畳に関する。
【０００２】
【従来の技術】
従来、ペーパーハニカムまたは段ボール材を積層した平板状の紙製コアの表裏面を、インシュレーションボードで挟んで縫い合わせた畳床を用いた畳が知られている（特許文献１参照）。しかし、この畳では、縫い目からコア内に湿気が侵入して紙製コアが吸湿するため、コアの強度が低下するという問題点があった。
【０００３】
また、紙製コアの周辺部分の強度を高めるために、紙製コアの周辺部分を軟質繊維ボードの枠材で構成したものも知られているが（特許文献２参照）、構造が複雑でコスト高となる。さらに、紙製コアの四隅と、周辺部に適当な間隔で軟質繊維材の駒片を圧入したものもあるが（特許文献３参照）、駒片を配置した部分だけの補強であって、  十分な効果が得られない。
【０００４】
【特許文献１】
特許文献１（実用新案登録第３０５５２１１号公報の要約、図１）
【特許文献２】
特開平７−３３１８５０号公報（段落００１１、図１）
【特許文献３】
実開平５−５２０７５号公報（要約、図１）
【０００５】
また、紙製コアの上下面に貼り付けたライナに耐水コーティングを施したコアユニットの表裏面を、インシュレーションボードで挟んで縫い合わせた畳床は、経時的に縫糸の締め付けが弱まると、インシュレーションボードとライナの間の摩擦抵抗が小さくなり、畳を踏んだ時に、キュッ、キュッという滑り音が発生するという問題点があった。
【０００６】
【発明が解決しようとする課題】
本発明は、このような課題を解消し、吸湿しても必要な圧縮強度を維持でき、しかも、構造が簡単で安価な畳を提供することを第１の目的とする。本発明の第２の目的は、使用年数が嵩んでも、踏んだときに滑り音が生じない畳を提供することにある。
【０００７】
【課題を解決するための手段】
上記第１の目的を達成するために、本発明の第１構成に係る畳は、段ボール材またはハニカム体からなり、目が表裏方向を向いた板状の紙製コアと、前記コアの表裏面に配置されたインシュレーションボードとで構成された畳床と、前記表側のインシュレーションボードの上面に配置された畳表とを有し、前記紙製コアに耐水コーティングが施されている。上記構成によれば、紙製コア内に湿気が侵入しても、コアを構成している紙材は吸湿量が少ないので、コアの強度は低下しない。
【０００８】
上記第１の目的を達成するために、本発明の第２構成に係る畳は、段ボール材またはハニカム体からなり、目が表裏方向を向いた板状の紙製コアと、前記コアの表裏面に配置されたインシュレーションボードと、前記表側のインシュレーションボードの上面に配置された畳表とを有し、前記コアは、紙材を耐水糊で接着して形成されている。上記構成によれば、耐水糊を使用しているから、コア内に湿気が侵入しても、コアを構成している紙材の接着が剥がれないので、コアの強度は低下しない。
【０００９】
上記第１および第２の目的を達成するために、本発明の第３構成に係る畳は、段ボール材またはハニカム体からなり、目が表裏方向を向いた板状の紙製コアの表裏面に紙製のシートを接合したコアユニットと、前記コアユニットの表裏面に配置されたインシュレーションボードと、前記表側のインシュレーションボードの上面に配置された畳表とを有し、前記コアは、紙材を耐水糊で接着して形成され、前記コアユニットの紙製のシートは、段ボール用芯紙で形成されている。上記構成によれば、耐水糊を使用しているから、コア内に湿気が侵入しても、コアを構成している紙材の接着が剥がれないので、コアの強度は低下しない。また、コアユニットのシートは、従来のクラフト用ライナに代えて、滑りにくい段ボール用芯紙を使用したから、このシートとインシュレーションボード間に滑りが生じにくいので、畳を踏んだときに滑り音が生じない。
【００１０】
また、本発明の第４構成に係る畳は、段ボール材またはハニカム体からなり、目が表裏方向を向いた板状の紙製コアの表裏面に紙製のシートを接合したコアユニットと、前記コアユニットの表裏面に配置されたインシュレーションボードと、前記表側のインシュレーションボードの上面に配置された畳表とを有し、前記コアは、紙材を耐水糊で接着して形成され、前記コアユニットの表裏面に摩擦抵抗を増加させる滑り止めコーティングが施されている。上記構成によれば、耐水糊を使用しているから、コア内に湿気が侵入しても、コアを構成している紙材の接着が剥がれないので、コアの強度は低下しない。また、インシュレーションボードとコアユニットの間の滑りが生じ難いので、畳を踏んだときに滑り音が生じない。
【００１１】
本発明の好ましい実施形態では、前記コアは複数の段ボール材の目を表裏方向に向けて積層した段ボール積層材からなり、コアの４辺のうち少なくとも相対向する２辺の近傍部分が、他の部分よりも小さい目の段ボール材で形成されている。上記構成によれば、コアの辺部を構成している目の小さい段ボール材は目の方向の圧縮強度が大きいので、畳の辺部が潰れることが少なくなる。
【００１２】
また、本発明の好ましい実施形態では、前記表側のインシュレーションボードの上面と裏側のインシュレーションボードの下面の少なくとも一方に、段ボール材からなる段ボールシートが、その目の方向を前記表裏方向と直交させて配置されている。上記構成によれば、表側のインシュレーションボードの上面側に配置された段ボールシートは、畳を踏んだ時のクッションを良くし、裏側のインシュレーションボードの下面側に配置された段ボールシートは、畳を敷き込む床面に釘の頭などが突出しているような凹凸部があったときでも、その当接部分が変形して床面の凹凸を吸収し、畳面が平坦になるように働く。
【００１３】
【発明の実施の形態】
以下、本発明に係る畳の第１実施形態を図面に基づいて説明する。
図１は第１実施形態の畳を一部切欠いて示す斜視図である。この畳１は、長方形と正方形のものがあり、畳床１０と、その上面と縦方向Ｘの両端面、つまり縦方向Ｘで相対向する２つの辺部と、横方向Ｙで相対向する２つの辺部に図示していない畳糸で縫い付けられて畳目が横方向Ｙに延びる畳表４と、この畳床１０と畳表４の４つの辺部のうち横方向Ｙで相対向する両辺部に畳糸で縦方向Ｘに縫付けられている布製または紙製の畳べり（縁部材）７とを備えている。
【００１４】
図２に示すように、畳床１０は、紙製のコアユニット２と、その表面（  図２では上方）に配置されたインシュレーションボード３Ａと、裏面（  図２では下方）に配置されたインシュレーションボード３Ｂと、インシュレーションボード３Ａの上面とインシュレーションボード３Ｂの下面に配置された段ボールシート５Ａ，５Ｂとが、畳糸で一体に縫合されて構成されている。
【００１５】
前記紙製のコアユニット２は、段ボール積層材であるコア２０を有している。このコア２０は、波形板２１の片面に帯状の平板２２を接合してなる紙製の段ボール材２３を１つの層として、これの複数層を平板２２の主面と直交する方向に重ね合わせて接合し、波形板２１の目２４が表裏方向に向くように配置している。波形板２１と平板２２は段ボール芯紙（ＪＩＳ規格）で形成されている。このコア２０の表裏面に段ボール芯紙からなるシート２５Ａ，２５Ｂを接合してコアユニット２が形成されている。これら波形板２１、平板２２およびシート２５Ａ，２５Ｂの接合には、市販の耐水糊（澱粉糊に耐水化剤を混合したもの）を使用する。
【００１６】
紙製の段ボール材２３は、目の大きいもの、例えば、図１に示す目２４の高さＨ（隣接する平板２２，２２間の内側間隔に相当）が５〜１５ｍｍ、好ましくは７〜１２ｍｍで、波形ピッチＰが７〜２４ｍｍ、好ましくは１０〜１８ｍｍの、いわゆる鬼段ボールが用いられている。
【００１７】
前記段ボール材２３の波形板２１および平板２２には、耐水剤を塗着（耐水コーティング）して耐水性が付与されている。耐水剤としては、例えば、ワックス（ろう）、アクリル樹脂などを使用する。このようにすれば、段ボール材２３が低吸湿性となって耐水性が高められるので、畳１の腐食が防止されて耐久性が高められる。シート２５Ａ，２５Ｂに耐水コーティングを施すと、インシュレーションボード３Ａ，３Ｂとの間で不快な滑り音を発生させる可能性があるので、シート２５Ａ，２５Ｂは耐水コーティングされていない。
【００１８】
前記波形板２１として、この実施形態では正弦波状のものを用いているが、これは台形状のものであってもよい。また、コア２０として、段ボール材２３の積層体に代えて、前述した特許文献１〜３に記載のような紙製のハニカム体を使用することもできる。
【００１９】
インシュレーションボード３Ａ，３Ｂは、ＪＩＳ規格品であり、チップ化した木材を原料としており、予め耐水処理が施されている。畳表４とインシュレーションボード３Ａとの間に介挿された上側の段ボールシート５Ａとしては、例えば目の小さいＦフルートの段ボール材が使用される。下側の段ボールシート５Ｂとしては、例えば若干目の大きいＥフルートの段ボール材が使用される。これら段ボールシート５Ａ，５Ｂは、波形板５１の片面に平板５２を接合してなる片面段ボール材５３からなり、前記波形板５１を外側にして、段ボール材５３の目５０が前記コア２０の目２４と直交する横方向（Ｙ方向）に配置されている。ただし、この段ボールシート５Ａ，５Ｂは、省略してもよい。また、この段ボールシート５Ａ，５Ｂに代えて薄い紙や不織布などを用いることもできる。
【００２０】
上記構成によれば、梅雨時などの高温多湿状況下、または水をこぼした場合などにおいて、表裏のインシュレーションボード３Ａ，３Ｂの縫い目などから湿気がコア２０内に侵入しても、コア２０は耐水コーティングが施されているため吸湿が抑えられるので、コア２０の圧縮強度の低下が少ない。
【００２１】
また、コアユニット２のシート２５Ａ，２５Ｂは、従来の滑り易いクラフト用ライナではなく、滑りにくい段ボール用芯紙により形成されているので、畳を永年使用して畳糸による締め付けが緩んでも、畳を踏んだときにシート２５Ａ，２５Ｂとインシュレーションボード３Ａ，３Ｂ間に滑りが生じにくくなって、滑り音が発生しない。
【００２２】
さらに、表側のインシュレーションボード３Ａと畳表４の間に目の小さい段ボールシート５Ａが介在するので、クッション性が向上し、畳としての感触がよくなる。他方、裏側のインシュレーションボード３Ｂの下面には、少し目の大きい段ボールシート５Ｂが装着されているので、畳を床面に敷き込むとき、床面に釘の頭のような凹凸が存在していても、段ボールシート５Ｂの目がつぶれることで凹凸が吸収され、畳面のレベル調整が容易になる。また、コアユニット２、インシュレーションボード３Ａ，３Ｂ、段ボールシート５Ａ，５Ｂおよび畳表４を重合して、畳べり７を取り付けるだけであり、枠体や周辺部の駒片が不要であるから、構造が簡単で、安価になる。
【００２３】
図３（Ａ）は本発明の第２実施形態の一部拡大縦断面図、図３（Ｂ）はその一端部の一部を破断して示す拡大平面図で、図２と同一符号はそれぞれ同一、または相当部分を示している。この畳の畳床１０Ａは、紙製コアユニット２Ａの上側の紙製シート２５Ａの表面および下側の紙製シート２５Ｂの裏面に、それぞれストライプ状の滑り止めコーティング１１ａ，１１ｂを形成したものである。その他の構成は第１実施形態と同様である。
【００２４】
この第２実施形態の畳は、コアユニット２Ａの表面とインシュレーションボード３Ａの下面が滑り止めコーティング１１ａを介して当接し、コアユニット２Ａの裏面とインシュレーションボード３Ｂの上面が滑り止めコーティング１１ｂを介して当接するので、コアユニット２Ａと上下のインシュレーションボード３Ａ，３Ｂを縫い付けている畳糸の結束力が弱まっても、コアユニット２Ａと上下のインシュレーションボード３Ａ，３Ｂが滑りにくいので、畳を踏んだ時に滑り音が発生しない。
【００２５】
図４は本発明の第３実施形態の畳の一部破断平面図で、図１と同一符号はそれぞれ同一、または相当部分を示している。畳床１０Ｂのコアユニット２Ｂのコア２０Ｂは、第１実施形態と同一の目の大きい段ボールを積層して耐水糊で接着した第１段ボール積層体２７の４辺に、第２段ボール積層体２８を、耐水糊で接着して形成されている。この第２段ボール積層体２８は、目の大きさが第１段ボール積層体２７の１／２〜１／４の段ボール材を３０〜９０ｍｍ厚さに積層して耐水糊で接合したものである。このコア２０Ｂに耐水コーティングを施し、その表面と裏面に紙製シート２５Ａ，２５Ｂを耐水糊で接着して、前記コアユニット２Ｂが形成されている。なお、相対向する２辺のみ、例えば長辺側の２辺のみに段ボール積層体２８を接合した構成としてもよい。
【００２６】
この第３実施形態の畳床１０Ｂを用いた畳は、コアユニット２Ｂの目の小さい第２段ボール積層体２８を接着した周辺部分の剛性が大きいので、畳表４や畳べり７を畳糸で強い力で縫い付けることができる。このため縫糸が緩みにくく、また、耐圧強度も大きいので、コアユニット２Ｂの辺部が荷重で潰れるのを防止できる。
【００２７】
【発明の効果】
以上のように、本発明によれば、板状の紙製コアの耐水性が向上するので、コア内に湿気が侵入しても強度が低下しない畳が得られる。しかも、構造が簡単で安価である。
【図面の簡単な説明】
【図１】本発明の第１実施形態を一部切欠いて示す斜視図である。
【図２】（Ａ）は図１のＩＩ−ＩＩ線に沿った拡大断面図、（Ｂ）は一部破断した拡大平面図である。
【図３】（Ａ）は本発明の第２実施形態を示す縦断面図、（Ｂ）は一部破断した拡大平面図である。
【図４】本発明の第３実施形態を示す畳の一部破断した平面図である。
【符号の説明】
１…畳、２，２Ａ，２Ｂ…コアユニット、３Ａ，３Ｂ…インシュレーションボード、４…畳表、５Ａ，５Ｂ…段ボールシート、７…畳べり、１０，１０Ａ，１０Ｂ…畳床、２０，２０Ｂ…コア、２１，５１…波形板、２２，５２…平板、２３…段ボール材、２４，５０…目、２５Ａ，２５Ｂ…紙製シート、２７…第１段ボール積層体、２８…第２段ボール積層体、５３…片面段ボール材
【図１】
2004162279.tif 000003
【図２】
2004162279.tif 000004
【図３】
2004162279.tif 000005
【図４】
2004162279.tif 000006